(57)【要約】【課題】  従来の授乳用ケープやエプロンなどの覆い具及び授乳用衣服は、授乳時に母体が露出することを防ぐということのみに使用目的が限定されていた上に、着用しても子供の動きや状況によって母体の露出を防ぎきれないことがあった。これらの不都合を解決する多機能授乳覆い具を提供する。【解決手段】通気性を有する布（１）に、その布を容易に筒状にして装着することができるように接合用品（２）を付けたり、更にゴム（３）を配することで、授乳時に母体に巻きつけて使用すること及びケープとして使用をすることを可能とし、さらに母親のおしゃれ装飾品や妊娠中や出産後の体型カバー用品や冷え防止用品として、また子供の防寒用品や、子供を抱きかかえる際に子供の靴の汚れが抱きかかえる人の服につくことを防止するための泥除けとしても使用することを可能とした多機能授乳覆い具によりこの課題を解決する。【選択図】図６
2009091667.tif 000002
【特許請求の範囲】
【請求項１】
長方形をした通気性を有する布のひとつの長辺の両端にこの両端同士の接合を容易に行うための接合用品を付け、この接合用品同士を接合することで布を筒状にできるようにしたことを特徴とする多機能授乳覆い具。
【請求項２】
一部切断されたドーナツ型をした通気性を有する布の、内側になる弧の両端付近にこの両端同士の接合を容易に行うための接合用品を付け、この接合用品同士を接合することで布を筒状にできるようにしたことを特徴とする多機能授乳覆い具。
【請求項３】
前期記載の布の接合用品を付けた長辺もしくは弧に関し、接合用品をつけた両端を除いた部分にゴムを配し伸縮性を持たせたことを特徴とする請求項１及び請求項２記載の多機能授乳覆い具。
【請求項４】
前期記載の布の接合用品を付けた長辺もしくは弧に関し、接合用品をつけた両端のうちの一方を除いたほかの長辺もしくは弧の部分にゴムを配し伸縮性を持たせたことを特徴とする請求項１及び請求項２記載の多機能授乳覆い具。
【請求項５】
前期記載の布の、ゴムを配した部分にギャザーを寄せたことを特徴とする請求項３及び請求項４記載の多機能授乳覆い具。
【請求項６】
前記記載の布の、接合用品を配した長辺もしくは弧に向かい合う長辺もしくは弧に装飾を施し、直線もしくは弧以外の形状としたことを特徴とする請求項１及び請求項２及び請求項３及び請求項４及び請求項５記載の多機能授乳覆い具。
【請求項７】
前期記載の布にプリーツ加工を施したことを特徴とする請求項１及び請求項２及び請求項３及び請求項４及び請求項５及び請求項６記載の多機能授乳覆い具。
【発明の詳細な説明】
【技術分野】
【０００１】  本発明は、授乳時に母体の肌の露出を防ぐために使用する授乳覆い具に関するものであり、通気性を有する布の形状と仕様に工夫を加えることによって、授乳時に母体の露出を確実に防ぎ、さらに授乳覆い具として以外にも多機能に使用することを可能とした授乳覆い具に関するものである。
【背景技術】
【０００２】  従来から、授乳時に母体の肌の露出を防止するものとして、母体の頭の上からすっぽりかぶる形の授乳用ケープや母体の首からエプロンのようにかける形の授乳覆い具が利用されている。この例として特許文献１や特許文献２に開示されているものがある。
【特許文献１】特開平０９−１５７９１５号公報
【特許文献２】特開２００３−０５５８１６号公報
【０００３】  また、同じく胸部分に開口部を設け、その上から開口した部分を目立たなくするためのカバー布を設けた授乳専用衣服が利用されている。この例として特許文献３に開示されているものがある。
【特許文献３】特開平１０−３１０９１５号公報
【発明の開示】
【発明が解決しようとする課題】
【０００４】  しかし、これらは次のような欠点がある。授乳用のケープやエプロンは、授乳時には母体の頭の上からすっぽりかぶるか首にかけて使用し、その状態で母体の上体に着用している衣服をたくし上げるか又は前開きの服の場合は前を開けて授乳するのであるが、母体の肌を覆うのみならず子供の顔にもかぶさるため子供が嫌がってひっぱったり手で払いのけたり、また子供が大きくなってくると覆いきれなくなることがあり、子供の動きや大きさによってケープやエプロンがめくれ母体の胸部や腹部や背が露出されてしまうことがある。【０００５】  また、これら授乳用のケープやエプロンには母体の頭からすっぽりかぶるか首からかけ授乳の様子を覆い隠すという使用方法しかない。【０００６】  また、授乳用のケープやエプロンは常に装着しているわけにはいかず携帯しなければならないので外出時の荷物が増えてしまう。【０００７】  また、授乳の状況は、母体の首下から子供まで完全に覆う必要がある状況ばかりではない。実際には女性ばかりの授乳室の中や、母親と子供だけの集まりなどでの授乳の機会も多い。そういう状況下では子供は覆わず母体の露出を抑えることができればよく、子供まですっぽり覆う形の授乳用のケープやエプロンを装着することは煩わしく不便なことがある。また、男性がいる場面においても、子供まですっぽり覆う形のケープやエプロンがめくれて母体が露出される可能性を心配しつつ授乳するよりも確実に母体の肌の露出を防げるほうが安心な場合も多い。【０００８】  一方、授乳専用衣服を日常的に使用する場合、日々の生活に不自由がないだけ買い揃えるとなるとある程度の枚数やバリエーションが必要となる。しかしこれらは授乳期間が終われば不要となってしまうものであり経済的とは言いがたい。【０００９】  また、子育てにおいては母親がしゃがんだり前かがみになって子供と目線を合わせたり子供の世話をしなければならない場面が多いが、授乳専用衣服でそのような姿勢になることを想定の上で作られている物は少なく、母親がしゃがんだり前かがみになったときに上体に着用している衣服がずり上がり、背後から背中が丸見えになることがよくおこる。
本発明は、以上のような欠点を解決することを課題とする。
【課題を解決するための手段】
【００１０】  この課題を解決するため、本発明は通気性を有する長方形または一部切断されたドーナツ型の布を用い、その布を筒状にできるように、前者の形の布を使用する場合はひとつの長辺の両端に、後者の形の布を使用する場合は内側となる弧の両端に、その両端同士の接合を容易に行うための接合用品を付ける。また、より装着を容易にするには接合用品を付けた長辺もしくは弧に接合用品に加えゴムを配する。本発明は以上の基本構成よりなる多機能授乳覆い具である。このような形状にすることで、母体胴体に巻きつけ装着すること及び肩からケープのようにかけて装着するという二通りの装着方法を可能とし、確実に授乳の様子を覆い隠すことができ、さらに母体のおしゃれ装飾品や体型カバー用品や冷え防止用品や、子供の防寒用品としても使用できる。また、妊娠中の腹部覆い具としても使用できる。
【発明の効果】
【００１１】  本発明を着衣内側の母体のアンダーバスト付近の胴体に巻き付け、接合用品（２）を接合し着用することで（図９参照）、授乳時に母体の胸を出すため上体の衣服をたくし上げたり又は前開きの服の場合は前を開けたりしても腹部や背中の露出を確実に防ぐことができる。腹部と背以外に露出の危険性がある母体の胸上部に関してはたくし上げた衣服、もしくは前を空けた服によって露出が避けられる。これにより実際に露出される母体の部位は乳頭付近のみとなるが、乳頭付近については子供の頭部で覆われる。よって母体の露出を確実に防ぐことができる（図１０参照）。また母体胴体に巻きつけて使用するというこの方法は子供の動きや大きさに影響されて本発明がめくれてしまうということがない。【００１２】  また、本発明は前開きのケープとして使用することも可能である（図１１参照）。この場合は接合用品（２）を接合し、筒状にした本発明を母体の首にかけ使用し、接合部分から子供の頭部と体を出して母親から子供の様子直接みることができるよう装着する。これにより子供は顔にかかる布を気にすることがなく、また母子間で授乳中に視線を合わせることが可能であり母親からの声かけも容易となるため母子ともに安心感を得られる。また接合用品（２）を接合させることでできる布の重なり（４）により子供の頭部を出しながらも母体の胸上部はゆったり覆い隠すことができる。この使用方法も子供の動きや大きさに影響されて本発明がめくれてしまうということがない。【００１３】  また、本発明は従来品のような子供の頭をすっぽり覆うケープとして使用することもできる（図１２参照）。この場合は接合用品（２）を接合し筒状にした本発明を母体の首にかける際に、接合部分が母親の背側になるよう装着する。ある程度閉ざされた空間のほうが子供が落ち着ける場合や寒いときなど子供をすっぽり覆いたいときにはこのようにして使用できる。また、このように使用しているときも、着用した母体の首周りには余裕があるため隙間から子供の様子を伺いみることができ母子ともに安心である。【００１４】  また、本発明は授乳覆い具以外の目的にも使用できる。この場合は母体の着衣の下のアンダーバストもしくはウエスト程度まで下げた位置に本発明を巻きつけたまま上から衣服を着用し、衣服の下部から本発明が一部見えるような状態にする（図９参照）。こうすることでファッションの一部として使用することができる。また、このように着用すれば出産後のたるんだ腹部を目立たなくさせる効果もある。さらに、子供の世話のためにしゃがんだときや前かがみになったときに背中が露出しないですむ。また、冬場など寒いときは、保温性のある布地を選べば腹部の冷えの防止にもなる。さらに着用したままで持ち運べるため、従来の授乳ケープやエプロンのように別に携帯する必要がなく外出時の荷物が増えない。また、母乳育児が終わっても引きつづきファッションや冷え防止の目的で使用できる。【００１５】  また、本発明は妊娠中も母体のアンダーバスト付近に巻きつけ使用できる（図１３）。このように使用することで、腹部の冷え防止になる。また、妊娠前に上体に着ていた服は通常腹部が大きくなってくると、腹部のふくらみにより丈が短くなり腹部が出��しまうため着用できなくなるが、本発明をアンダーバスト付近に巻きつけておけば、短くなった上着の下から本発明が出て腹部を覆うので妊娠前の服でも着用できる。アンダーバストのサイズは妊娠前も妊娠後も出産後もそれほど大きく変わらないので、買い換えることなく同じものを使用できるし、アンダーバスト付近に巻きつけるのであればお腹の中の胎児を圧迫することもないので安心である。ちなみにこの様に使用する場合は、腹部のサイズ変化に柔軟に対応できるよう接合用品（２）とゴム（３）の両方を配置し、ギャザーを多く寄せることがより望ましい。【００１６】  また、本発明は子供のおくるみやひざ掛けや肩掛けとしても使用可能である。【００１７】  本発明は、通気性を有する布地（１）を用い、さらに接合用品（２）を配し、時にはその接合用品（２）を配する長辺または弧にゴム（３）を配して伸縮性を持たせるため、どのような使い方をする場合でも装着及び離脱が極めて簡便迅速にできる。また、母体の胴体に装着したままであっても通気性を保つとともに動きを妨げないため連続装着が可能である。
【発明を実施するための最良の形態】
【００１８】  以下本発明を実施するための最良の形態について説明する。布（１）は通気性を有ししわになりにくくあまり厚手でなく軽いものが望ましい。内側が丸見えになるほど透けていなければ透けていても透けていなくても良い。形状は基本的には長方形か、一部切断されたドーナツ型とする。大きさは接合用品（２）を配置する長辺もしくはドーナツ型の布の場合は内側の弧の長さが、本発明を完成させたときに、着用する母体のアンダーバストの周囲より長くなるようにする。長くする程度は接合用品（２）同士を接合し本発明を筒状にしたときに布の重なり（４）がある程度でき、この布の重なり（４）により若干のサイズ調整が可能となり、又前開きのケープとして使用したときに接合部分から母体の胸上部がはだけなくなる程度とする（図１１参照）。布の丈となる短辺の長さは着用する母体のアンダーバストから腹部全体を覆う程度の長さもしくはそれ以上の長さとする。しかし、そのときのファッションの流行や使用者の好みなどがあるので長さの設定には柔軟性を要する。また装着した際に下部になる部分は単なる直線や弧でなく装飾的なカットを施したり、レースや他の装飾品をつけたりしてもよい。また布自体にプリーツ加工を施してもよい。しかし、そのときのファッションの流行や使用者の好みなどがあるのでプリーツの幅や形状の設定にも柔軟性を要する。【００１９】  布のひとつの長辺もしくはドーナツ型の布の場合は内側となる弧の両端にはその両端同士を接合させるための接合用品（２）を配する。接合用品（２）は若干のサイズ調整と着用を容易なものとするため面ファスナーを用いるが、スナップや紐やリボンやホックを使用しても良い。ただし、どの方法であってもこの接合用品（２）を接合し本発明を筒状にしたときに接合部分に布の重なり（４）ができるようにする（図２、図４参照）。【００２０】  装着をより容易にするためには接合用品（２）を配した布（１）の長辺もしくは弧にゴム（３）を配し伸縮性をもたせる。配するゴム（３）には平ゴムもしくはシャーリングゴムもしくは丸ゴムを用い、その配する程度は、本発明を母体のアンダーバストに巻きつけ接合用品（２）同士を接合させたときに、母体に適度にフィットする程度とする（図９参照）。ゴムがゆるすぎると母体胴体への着用時にずり落ちを生じ、きつすぎると母体を締め付け動きを妨げるので避ける。またきつすぎると、ゴムの圧迫で装着者が気分を悪くすることもあるため避ける。【００２１】ゴムを配することで布地にギャザーを寄せても良い。ギャザーを寄せる程度はファッションの流行や使用者の好みや体型などがあるので設定には柔軟性を要する（図６図、８参照）。【００２２】  本発明を、母体の腹部や背の露出を避ける目的で使用するときは、上体の着衣の内側へ本発明を差しいれ、ブラジャーの下辺りのアンダーバスト付近に巻きつけ、母体の横もしくは前面など手の届きやすい場所で接合用品（２）を接合する。そして上体の着衣を授乳に必要な高さまでたくし上げ授乳する（図１０参照）か、前開きの服を着ている場合は胸上部と首付近を除いた前部分を開き授乳する。【００２３】  また、本発明を授乳用ケープとして使用するときには、接合用品（２）を接合させ筒状にし��母体の頭からかぶるかもしくは最初に母体の肩に羽織った状態にしたあと接合用品（２）を接合させ使用する。接合部分を母体の前にするか背中にするかは使用状況にあわせる（図１０、図１１参照）。【００２４】  また、本発明を母親のおしゃれ装飾品として使用するときや腹部の体型カバーや冷え防止目的で使用するときは、母体の胴体に巻きつけその上から通常の衣服を着用し、本発明の一部が着用した衣服の下からみえるようにする（図９参照）。巻きつける高さは使用者の好みの位置とする。尚、授乳時の腹部や背の露出防止を目的として使用する場合でもこのように着用したまま携帯しても良い。【００２５】  また、本発明を妊娠中の腹部覆い具として使用するときは、母体のアンダーバスト付近に巻きつけて着用する（図１３参照）。巻きつける位置やきつさは胎児を圧迫することがなく、また使用者自体も苦しくない程度とする。【００２６】  また、本発明を子供のおくるみやひざ掛けや肩掛けとして使用するときは、子供の状態や状況にあわせて適宜使用する。
【産業上の利用の可能性】
【００２７】  本発明は、授乳時における母体露出を防ぐための覆い具、母体のおしゃれ装飾品、妊娠中及び出産後の体型カバー用品、冷え防止用品、また子供の防寒用品として多機能に使用できる多機能授乳覆い具に関するものであり、簡単な構造であるため量産が可能なため、産業上の利用可能性を有する。
【図面の簡単な説明】
【００２８】
【図１】布（１）の形状を長方形とした本発明の平面図
【図２】長方形の布を用いた本発明を筒状にした場合の斜視図
【図３】布（１）の形状を一部切断されたドーナツ型とした本発明の一例の平面図
【図４】一部切断されたドーナツ型の布を用いた本発明を筒状にした斜視図
【図５】接合用品（２）を配した両端部を除いた部分にゴム（３）を配した本発明の平面図
【図６】図５に関して接合用品（２）同士を接合し筒状にした状態を示す斜視図
【図７】接合用品（２）を配した両端部の一方を除いた部分にゴム（３）を配した本発明の平面図
【図８】図７に関して接合用品（２）同土を接合し筒状にした状態を示す斜視図
【図９】本発明を母体の腹と背の露出防止用品やおしゃれ用品や体型カバー用品や冷え防止用品として使用するために通常の着衣の下に装着した状態を示す実施例
【図１０】本発明を母体の腹と背の露出防止目的の授乳覆い具として使用した状態を示す斜視図
【図１１】本発明を前開き授乳ケープとして使用した状態を示す斜視図
【図１２】本発明を後ろ開き授乳ケープとして使用した状態を示す斜視図
【図１３】接合用品（２）とゴム（３）を配した本発明を妊娠中に着用した状態を示す実施例
【符号の説明】
【００２９】  １      布
２      連結用品
３      ゴム
４      布の重なり
【図１】
2009091667.tif 000003
【図２】
2009091667.tif 000004
【図３】
2009091667.tif 000005
【図４】
2009091667.tif 000006
【図５】
2009091667.tif 000007
【図６】
2009091667.tif 000008
【図７】
2009091667.tif 000009
【図８】
2009091667.tif 000010
【図９】
2009091667.tif 000011
【図１０】
2009091667.tif 000012
【図１１】
2009091667.tif 000013
【図１２】
2009091667.tif 000014
【図１３】
2009091667.tif 000015
【手続補正書】
【提出日】平成20年7月26日(2008.7.26)
【手続補正１】
【補正対象書類名】特許請求の範囲
【補正対象項目名】請求項２
【補正方法】変更
【補正の内容】
【請求項２】
切断されたドーナツ型をした通気性を有する布の、内側になる弧の両端付近にこの両端同士の接合を容易に行うための接合用品を付け、この接合用品同士を接合することで布を筒状にできるようにしたことを特徴とする多機能授乳覆い具。
【手続補正２】
【補正対象書類名】特許請求の範囲
【補正対象項目名】請求項３
【補正方法】変更
【補正の内容】
【請求項３】
使用する布の接合用品を付けた長辺もしくは弧に全体的にゴムを配し伸縮性を持たせたことを特徴とする請求項１及び請求項２記載の多機能授乳覆い具。
【手続補正３】
【補正対象書類名】特許請求の範囲
【補正対象項目名】請求項４
【補正方法】変更
【補正の内容】
【請求項４】
使用する布の接合用品を付けた長辺もしくは弧に部分的にゴムを配し伸縮性を持たせたことを特徴とする請求項１及び請求項２記載の多機能授乳覆い具。
【手続補正４】
【補正対象書類名】特許請求の範囲
【補正対象項目名】請求項５
【補正方法】変更
【補正の内容】
【請求項５】
使用する布のゴムを配した部分にギャザーを寄せたことを特徴とする請求項３及び請求項４記載の多機能授乳覆い具。
【手続補正５】
【補正対象書類名】特許請求の範囲
【補正対象項目名】請求項６
【補正方法】変更
【補正の内容】
【請求項６】
使用する布の接合用品を配した長辺もしくは弧に向かい合う長辺もしくは弧に装飾を施し、直線もしくは弧以外の形状としたことを特徴とする請求項１及び請求項２及び請求項３及び請求項４及び請求項５記載の多機能授乳覆い具。
【手続補正６】
【補正対象書類名】特許請求の範囲
【補正対象項目名】請求項７
【補正方法】変更
【補正の内容】
【請求項７】
使用する布にプリーツ加工を施したことを特徴とする請求項１及び請求項２及び請求項３及び請求項４及び請求項５及び請求項６記載の多機能授乳覆い具。
【手続補正７】
【補正対象書類名】明細書
【補正対象項目名】０００７
【補正方法】変更
【補正の内容】
【０００７】また、授乳の状況は、母体の首下から子供まで完全に覆う必要がある状況ばかりではない。実際には女性ばかりの授乳室の中や、母親と子供だけの集まりなどでの授乳の機会も多い。そういう状況下では子供は覆わず母体の露出を抑えることができればよく、子供まですっぽり覆う形の授乳用のケープやエプロンを装着することは煩わしく不便なことがある。また、男性がいる場面においても、子供まですっぽり覆う形のケープやエプロンがめくれて母体が露出される可能性を心配しつつ授乳するよりも、子供まですっぽり覆わなくてもよいから確実に母体の肌の露出を防げるほうが安心な場合も多い。
【手続補正８】
【補正対象書類名】明細書
【補正対象項目名】００１０
【補正方法】変更
【補正の内容】
【００１０】この課題を解決するため、本発明は通気性を有する長方形または切断されたドーナツ型の布を用い、その布を筒状にできるように、前者の形の布を使用する場合はひとつの長辺の両端に、後者の形の布を使用する場合は内側となる弧の両端に、その両端同士の接合を容易に行うための接合用品を付ける。また、より装着を容易にするには接合用品を付けた長辺もしくは弧に接合用品に加えゴムを配する。本発明は以上の基本構成よりなる多機能授乳覆い具である。このような形状にすることで、母体胴体に巻きつけ装着すること及び肩からケープのようにかけて装着するという二通りの装着方法を可能とし、確実に授乳の様子を覆い隠すことができ、さらに母体のおしゃれ装飾品や体型カバー用品や冷え防止用品や、子供の防寒用品や子供を抱きかかえるときに子供の靴の汚れが抱きかかえる側の衣服につくことを防止するための子供の靴の泥除けとしても使用できる。また、妊娠中の腹部覆い具としても使用できる。
【手続補正９】
【補正対象書類名】明細書
【補正対象項目名】００１５
【補正方法】変更
【補正の内容】
【００１５】また、本発明は妊娠中も母体のアンダーバスト付近に巻きつけ使用できる（図１３）。このように使用することで、腹部の冷え防止になる。また、妊娠前に上体に着ていた服は通常腹部が大きくなってくると、腹部のふくらみにより丈が短くなり腹部が出てしまうため着用できなくなるが、本発明をアンダーバスト付近に巻きつけておけば、短くなったト着の下から本発明が出て腹部を覆うので妊娠前の服でも着用できる。アンダーバストのサイズは妊娠前も妊娠中も出産後もそれほど大きく変わらないので、買い換えることなく同じものを使用できるし、アンダーバスト付近に巻きつけるのであればお腹の中の胎児を圧迫することもないので安心である。ちなみにこの様に使用する場合は、腹部のサイズ変化に柔軟に対応できるよう接合用品（２）とゴム（３）の両方を配置し、ギャザーを多く寄せることがより望ましい。
【手続補正１０】
【補正対象書類名】明細書
【補正対象項目名】００１６
【補正方法】変更
【補正の内容】
【００１６】また、本発明は子供のおくるみやひざ掛けや肩掛けとしても使用可能である。さらに子供が少し成長し靴を履くようになったとき、子供を抱こうとする大人のウエスト付近にまきつけてから子供を抱くようにすれば、子供の靴の汚れが抱きかかえる人の衣服につかないので、子供の靴の泥除けとしても使用可能である。
【手続補正１１】
【補正対象書類名】明細書
【補正対象項目名】００１８
【補正方法】変更
【補正の内容】
【００１８】以下本発明を実施するための最良の形態について説明する。布（１）は通気性を有ししわになりにくくあまり厚手でなく軽いものが望ましい。内側が丸見えになるほど透けていなければ透けていても透けていなくても良い。形状は基本的には長方形か、切断されたドーナツ型とする。切断されたドーナツ型の布を使用する場合、切断する程度は使用する布の状態や状況に合わせて柔軟に調整する。大きさは接合用品（２）を配置する長辺もしくは切断されたドーナツ型の布の場合は内側の弧の長さが、本発明を完成させたときに、着用する母体のアンダーバストの周囲より長くなるようにする。長くする程度は接合用品（２）同士を接合し本発明を筒状にしたときに布の重なり（４）がある程度できた状態で母体アンダーバストへ巻きつけることが可能となる長さとし、この布の重なり（４）により若干のサイズ調整が可能となり、又前開きのケープとして使用したときに接合部分から母体の胸上部がはだけなくなる程度とする（図１１参照）。ゴム（３）を配置する場合や、ゴム（３）の位置にギャザーを寄せる場合はそれらを配置するために必要な長さを加える。布の丈となる短辺の長さは着用する母体のアンダーバストから腹部全体を覆う程度の長さもしくはそれ以上の長さとする。しかし、そのときのファッションの流行や使用者の好みなどがあるので長さの設定には柔軟性を要する。また装着した際に下部になる部分は単なる直線や弧でなく装飾的なカットを施したり、レースや他の装飾品をつけたりしてもよい。また布自体にプリーツ加工を施してもよい。しかし、そのときのファッションの流行や使用者の好みなどがあるので装飾的なカットや装飾品の設定やプリーツの幅や形状の設定にも柔軟性を要する。
【手続補正１２】
【補正対象書類名】明細書
【補正対象項目名】００１９
【補正方法】変更
【補正の内容】
【００１９】長方形の布の場合は布のひとつの長辺の両端に、切断されたドーナツ型の布の場合は内側となる弧の両端にその両端同士を接合させるための接合用品（２）を配する。接合用品（２）は若干のサイズ調整と着用を容易なものとするため面ファスナーを用いるが、スナップや紐やリボンやホックを使用しても良い。ただし、どの方法であってもこの接合用品（２）を接合し本発明を筒状にしたときに接合部分に布の重なり（４）ができるようにする（図２、図４、図６、図８参照）。
【手続補正１３】
【補正対象書類名】明細書
【補正対象項目名】００２０
【補正方法】変更
【補正の内容】
【００２０】装着をより容易にするためには接合用品（２）を配した布（１）の長辺もしくは弧にゴム（３）を配し伸縮性をもたせる。配するゴム（３）には平ゴムもしくはシャーリングゴムもしくは丸ゴムなどのゴムを用い、その配する程度は、本発明を母体のアンダーバストに巻きつけ接合用品（２）同士を接合させたときに、母体に適度にフィットする程度とする（図９参照）。ゴムがゆるすぎると着用時に母体胴体からのずり落ちを生じ、きつすぎると母体を締め付け動きを妨げるので避ける。またきつすぎると、ゴムの圧迫で装着者が気分を悪くすることもあるため避ける。
【手続補正１４】
【補正対象書類名】明細書
【補正対象項目名】００２１
【補正方法】変更
【補正の内容】
【００２１】ゴムを配することで布地にギャザーを寄せても良い。ギャザーを寄せる程度はファッションの流行や使用者の好みや体型などがあるので設定には柔軟性を要する（図６、図８参照）。
【手続補正１５】
【補正対象書類名】明細書
【補正対象項目名】００２２
【補正方法】変更
【補正の内容】
【００２２】本発明を、母体の腹部や背の露出を避ける目的で使用するときは、上体の着衣の内側へ、接合用品（２）を配した長辺または弧が上になるようにして本発明を差しいれ、ブラジャーの下辺りのアンダーバスト付近に巻きつけ、母体の横もしくは前面など手の届きやすい場所で接合用品（２）を接合する（図９参照）。そして上体の着衣を授乳に必要な高さまでたくし上げ授乳する（図１０参照）か、前開きの服を着ている場合は胸上部と首付近を除いた前部分を開き授乳する。
【手続補正１６】
【補正対象書類名】明細書
【補正対象項目名】００２３
【補正方法】変更
【補正の内容】
【００２３】また、本発明を授乳用ケープとして使用するときには、接合用品（２）を接合させ筒状にして母体の頭からかぶるかもしくは最初に母体の肩に羽織った状態にしたあと接合用品（２）を接合させ使用する。接合部分を母体の前にするか背中にするかは使用状況にあわせる（図１１、図１２参照）。
【手続補正１７】
【補正対象書類名】明細書
【補正対象項目名】００２６
【補正方法】変更
【補正の内容】
【００２６】また、本発明を子供のおくるみやひざ掛けや肩掛けとして使用するときや、子供を抱きかかえる際に子供の靴の汚れが抱きかかえる人の服につくことを防止するための泥除けとして使用するときは、子供の状態や状況にあわせて適宜使用する。
【手続補正１８】
【補正対象書類名】明細書
【補正対象項目名】００２７
【補正方法】変更
【補正の内容】
【００２７】本発明は、授乳時における母体露出を防ぐための覆い具、母体のおしゃれ装飾品、妊娠中及び出産後の体型カバー用品、冷え防止用品、また子供の防寒用品や、子供を抱きかかえる際に子供の靴の汚れが抱きかかえる人の服につくことを防止するための泥除けとして多機能に使用できる多機能授乳覆い具に関するものであり、簡単な構造であるため量産が可能なため、産業上の利用可能性を有する。
【手続補正１９】
【補正対象書類名】明細書
【補正対象項目名】００２８
【補正方法】変更
【補正の内容】
【００２８】
【図１】布（１）の形状を長方形とした本発明の平面図
【図２】長方形の布を用いた本発明を筒状にした場合の斜視図
【図３】布（１）の形状を切断されたドーナツ型とした本発明の一例の平面図
【図４】切断されたドーナツ型の布を用いた本発明を筒状にした斜視図
【図５】使用する布の接合用品（２）を配した長辺もしくは弧にゴム（３）を配した本発明の一例の平面図
【図６】図５に関して接合用品（２）同士を接合し筒状にした状態を示す斜視図
【図７】使用する布の接合用品（２）を配した長辺もしくは弧にゴム（３）を配した本発明の一例の平面図
【図８】図７に関して接合用品（２）同士を接合し筒状にした状態を示す斜視図
【図９】本発明を母体の腹と背の露出防止用品やおしゃれ用品や体型カバー用品や冷え防止用品として使用するために通常の着衣の下に装着した状態を示す実施例
【図１０】本発明を母体の腹と背の露出防止目的の授乳覆い具として使用した状態を示す斜視図
【図１１】本発明を前開き授乳ケープとして使用した状態を示す斜視図
【図１２】本発明を後ろ開き授乳ケープとして使用した状態を示す斜視図
【図１３】接合用品（２）とゴム（３）を配した本発明を妊娠中に着用した状態を示す実施例
【手続補正２０】
【補正対象書類名】明細書
【補正対象項目名】００２９
【補正方法】変更
【補正の内容】
【００２９】１  布
２  接合用品
３  ゴム
４  布の重なり
【手続補正２１】
【補正対象書類名】図面
【補正対象項目名】図１０
【補正方法】変更
【補正の内容】
【図１０】
2009091667.tif 000016